(57)【特許請求の範囲】
【請求項１】
表示部と、前記表示部に表示される仮想生命体又は生物のキャラクターの画像と他の仮想生命体又は生物のキャラクターの画像とを記憶した記憶部と、基地局又は他の電子機器との間で電波による通信および通話を行うための送受信回路と、前記送受信回路に接続されたアンテナと、前記仮想生命体または生物のキャラクターの外出情報の送信操作をするための操作部と、前記記憶部から読み取った前記仮想生命体又は生物のキャラクターの画像または前記他の仮想生命体又は生物のキャラクターの画像を前記表示部に表示させるための制御、並びに前記送受信回路の制御を行う制御装置とを備え、
前記制御装置は、前記仮想生命体または生物のキャラクターの外出情報の送信操作に応じ、前記仮想生命体または生物のキャラクターの外出情報を前記送受信回路およびアンテナを経て送信し、
当該外出情報送信時に当該キャラクターの外出画面を前記表示部に表示し、
前記基地局または他の電子機器装置からの外出情報の受信後、当該受信に応じ、前記他の仮想生命体または生物のキャラクターの来客画面を前記表示部に表示し、
前記他の仮想生命体または生物のキャラクターが遊びに来ている画面表示中は、前記仮想生命体または生物のキャラクターの外出情報を送信できないように制御を行うことを特徴とする電子機器装置。
【請求項２】
表示部と、前記表示部に表示される仮想生命体又は生物のキャラクターの画像と他の仮想生命体又は生物のキャラクターの画像とを記憶した記憶部と、基地局又は他の電子機器との間で電波による通信および通話を行うための送受信回路と、前記送受信回路に接続されたアンテナと、前記仮想生命体または生物のキャラクターの外出情報の送信操作をするための操作部と、前記記憶部から読み取った前記仮想生命体又は生物のキャラクターの画像または前記他の仮想生命体又は生物のキャラクターの画像を前記表示部に表示させるための制御、並びに前記送受信回路の制御を行う制御装置とを備え、更に、前記外出情報の送信がメール機能にて実行される電子機器装置であって、
前記制御装置は、前記仮想生命体または生物のキャラクターの外出情報の送信操作に応じ、前記メール機能を利用して前記仮想生命体または生物のキャラクターの外出情報を前記送受信回路およびアンテナを経て送信し、
当該外出情報送信時に当該キャラクターの外出画面を前記表示部に表示し、
前記基地局または他の電子機器装置のメール機能により送信された外出情報の受信後、当該受信に応じ、前記他の仮想生命体または生物のキャラクターの来客画面を前記表示部に表示し、
前記他の仮想生命体または生物のキャラクターが遊びに来ている画面表示中は、前記仮想生命体または生物のキャラクターの外出情報を送信できないように制御を行うことを特徴とする電子機器装置。
【請求項３】
前記制御装置は、更に、前記キャラクターの外出画面表示から所定時間経過後に、前記仮想生命体または生物のキャラクターの戻り画面を前記表示部に表示させる制御を行うことを特徴とする請求項１項または２項に記載の電子機器装置。
【請求項４】
前記制御装置は、更に、前記来客画面表示から所定時間経過後、前記他の仮想生命体または生物のキャラクターの帰り画面を前記表示部に表示する制御を行うことを特徴とする請求項１項、２項、および３項のいずれかに記載の電子機器装置。
【請求項５】
表示部と、前記表示部に表示される仮想生命体又は生物のキャラクターの画像と他の仮想生命体又は生物のキャラクターの画像とを記憶した記憶部と、基地局又は他の電子機器との間で電波による通信および通話を行うための送受信回路と、前記送受信回路に接続されたアンテナと、前記仮想生命体または生物のキャラクターの外出情報の送信操作をするための操作部と、前記記憶部から読み取った前記仮想生命体又は生物のキャラクターの画像または前記他の仮想生命体又は生物のキャラクターの画像を前記表示部に表示させるための制御、並びに前記送受信回路の制御を行うコンピュータとを備えた電子機器装置にて使用されるプログラムを記録したコンピュータ読取可能な記録媒体であって、
前記仮想生命体または生物のキャラクターの外出情報の送信操作に応じ、前記仮想生命体または生物のキャラクターの外出情報を前記送受信回路およびアンテナを経て送信させる手順と、
当該外出情報送信時に当該キャラクターの外出画面を前記表示部に表示させる手順と、
前記基地局または他の電子機器装置からの外出情報の受信後、当該受信に応じ、前記他の仮想生命体または生物のキャラクターの来客画面を前記表示部に表示させる手順と、
前記他の仮想生命体または生物のキャラクターが遊びに来ている画面表示中は、前記仮想生命体または生物のキャラクターの外出情報を送信できないようにする手順とを前記コンピュータに実行させるプログラムを記録したコンピュータ読取可能な記録媒体。
【請求項６】
表示部と、前記表示部に表示される仮想生命体又は生物のキャラクターの画像と他の仮想生命体又は生物のキャラクターの画像とを記憶した記憶部と、基地局又は他の電子機器との間で電波による通信および通話を行うための送受信回路と、前記送受信回路に接続されたアンテナと、前記仮想生命体または生物のキャラクターの外出情報の送信操作をするための操作部と、前記記憶部から読み取った前記仮想生命体又は生物のキャラクターの画像または前記他の仮想生命体又は生物のキャラクターの画像を前記表示部に表示させるための制御、並びに前記送受信回路の制御を行うコンピュータとを備えた電子機器装置であって、前記外出情報の送信がメール機能にて実行される電子機器装置にて使用されるプログラムを記録したコンピュータ読み取り可能な記録媒体であって、
前記仮想生命体または生物のキャラクターの外出情報の送信操作に応じ、前記メール機能を利用して前記仮想生命体または生物のキャラクターの外出情報を前記送受信回路およびアンテナを経て送信させる手順と、
当該外出情報送信時に当該キャラクターの外出画面を前記表示部に表示させる手順と、
前記基地局または他の電子機器装置のメール機能により送信された外出情報の受信後、当該受信に応じ、前記他の仮想生命体または生物のキャラクターの来客画面を前記表示部に表示させる手順と、
前記他の仮想生命体または生物のキャラクターが遊びに来ている画面表示中は、前記仮想生命体または生物のキャラクターの外出情報を送信できないようにする手順とを前記コンピュータに実行させるプログラムを記録したコンピュータ読み取り可能な記録媒体。
【請求項７】
前記プログラムは、更に、前記キャラクターの外出画面表示から所定時間経過後に、前記仮想生命体または生物のキャラクターの戻り画面を前記表示部に表示させる手順を前記コンピュータに実行させることを特徴とする請求項５項および６項のいずれかに記載のコンピュータ読取可能な記録媒体。
【請求項８】
前記プログラムは、更に、前記来客画面表示から所定時間経過後、前記他の仮想生命体または生物のキャラクターの帰り画面を前記表示部に表示させる手順を前記コンピュータに実行させることを特徴とする請求項５項、６項、および７項のいずれかに記載のコンピュータ読取可能な記録媒体。
【発明の詳細な説明】
【０００１】
【発明の属する技術分野】
本願発明は、自画面内で生活する仮想生命体又は生物のキャラクターを有する電子機器装置に関し、特に仮想生命体又は生物のキャラクターを外出させることのできるようにした電子機器装置に関するものである。
【０００２】
【従来の技術】
近年、犬や猫などのペットを所定の画面内で飼育するようにした電子ゲーム装置が種々提案され販売されている。従来のこの種の電子ゲーム装置としては、例えば、特開平７−２６１９６２号公報、特開平７−２８１８１９号公報に示すようなものが知られている。
【０００３】
特開平７−２６１９６２号公報に示された従来例は、装置本体に発光素子と受光素子とを設け、ユーザー（遊戯者）の非接触操作によって発光素子からの赤外光を手等で反射させて受光素子で受光させるようにしている。そして、複数パターンの犬キャラクターのデータと当該犬キャラクターのバイオリズムがメモリに記憶されているので、前記非接触操作の回数及び当日のバイオリズムに対応した犬キャラクターのデータをメモリから選択的に読み出して表示させるようにしている。これにより、犬キャラクターの体調にも即したキャラクター画像を選択表示させることができる。
【０００４】
また、特開平７−２８１８１９号公報に示された従来例は、装置本体に発光素子と受光素子とを設け、ユーザーの非接触操作によって発光素子からの赤外光を手等で反射させて受光素子で受光させることにより、非接触操作距離を検出している。また、振り向く犬やお手をする犬等のそれぞれ動きの変化した複数種類の犬キャラクターデータ及びその効果音データがメモリに記憶されているので、前記非接触操作距離に応じて犬キャラクターデータをメモリから選択的に読み出して表示させると共に、その効果音をスピーカから発生させるようにしている。これにより、ユーザーの手によるジェスチャー的な命令に即したキャラクター画像を選択表示させることができる。
【０００５】
【発明が解決しようとする課題】
しかしながら、前述の従来例は、いずれもユーザーが所有する電子ゲーム装置の表示画面内にキャラクター画像が常時留まって行動するもので、このキャラクター画像を外出させるようにしたものは従来存在しなかった。
【０００６】
本願発明は、上記に鑑みて案出されたもので、画面内の仮想生命体又は生物のキャラクターを自由に外出させることにより、人間社会と近似した行動を行わせ、更に興趣性の高い電子機器装置を提供することを目的とする。
【０００７】
【課題を解決するための手段】
本願請求項１に係る発明は、表示部と、前記表示部に表示される仮想生命体又は生物のキャラクターの画像と他の仮想生命体又は生物のキャラクターの画像とを記憶した記憶部と、基地局又は他の電子機器との間で電波による通信および通話を行うための送受信回路と、前記送受信回路に接続されたアンテナと、前記仮想生命体または生物のキャラクターの外出情報の送信操作をするための操作部と、前記記憶部から読み取った前記仮想生命体又は生物のキャラクターの画像または前記他の仮想生命体又は生物のキャラクターの画像を前記表示部に表示させるための制御、並びに前記送受信回路の制御を行う制御装置とを備え、
前記制御装置は、前記仮想生命体または生物のキャラクターの外出情報の送信操作に応じ、前記仮想生命体または生物のキャラクターの外出情報を前記送受信回路およびアンテナを経て送信し、
当該外出情報送信時に当該キャラクターの外出画面を前記表示部に表示し、
前記基地局または他の電子機器装置からの外出情報の受信後、当該受信に応じ、前記他の仮想生命体または生物のキャラクターの来客画面を前記表示部に表示し、
前記他の仮想生命体または生物のキャラクターが遊びに来ている画面表示中は、前記仮想生命体または生物のキャラクターの外出情報を送信できないように制御することを特徴とする電子機器装置である。
【００１２】
本願請求項２に係る発明は、表示部と、前記表示部に表示される仮想生命体又は生物のキャラクターの画像と他の仮想生命体又は生物のキャラクターの画像とを記憶した記憶部と、基地局又は他の電子機器との間で電波による通信および通話を行うための送受信回路と、前記送受信回路に接続されたアンテナと、前記仮想生命体または生物のキャラクターの外出情報の送信操作をするための操作部と、前記記憶部から読み取った前記仮想生命体又は生物のキャラクターの画像または前記他の仮想生命体又は生物のキャラクターの画像を前記表示部に表示させるための制御、並びに前記送受信回路の制御を行う制御装置とを備え、更に、前記外出情報の送信がメール機能にて実行される電子機器装置であって、
前記制御装置は、前記仮想生命体または生物のキャラクターの外出情報の送信操作に応じ、前記メール機能を利用して前記仮想生命体または生物のキャラクターの外出情報を前記送受信回路およびアンテナを経て送信し、
当該外出情報送信時に当該キャラクターの外出画面を前記表示部に表示し、
前記基地局または他の電子機器装置のメール機能により送信された外出情報の受信後、当該受信に応じ、前記他の仮想生命体または生物のキャラクターの来客画面を前記表示部に表示し、
前記他の仮想生命体または生物のキャラクターが遊びに来ている画面表示中は、前記仮想生命体または生物のキャラクターの外出情報を送信できないように制御することを特徴とする電子機器装置である。
【００１３】
本願請求項３に係る発明は、上記の電子機器装置において、前記制御装置は、更に、前記キャラクタの外出画面表示から所定時間経過後に、前記仮想生命体または生物のキャラクターの戻り画面を前記表示部に表示させる制御を行うことを特徴とする。
【００１４】
好ましい実施例では、上記の電子機器装置において、前記制御装置は、前記来客画面を前記表示部に表示させるときに、前記他の仮想生命体または生物のキャラクターと前記仮想生命体または生物のキャラクターとを一緒に表示する画面を前記表示部に表示する制御を行うことを特徴とする。
【００１５】
本願請求項４に係る発明は、上記の電子機器装置において、前記制御装置は、更に、前記来客画面表示から所定時間経過後、前記他の仮想生命体または生物のキャラクターの帰り画面を前記表示部に表示する制御を行うことを特徴とする。
【００１６】
さらに、本願請求項５乃至８は、上記の制御を行う手順をコンピュータに実行させるためのプログラムを記録したコンピュータ読み取り可能な記録媒体である。
【００１７】
【発明の実施の形態】
本願発明に係る電子機器装置の実施の形態の一例を図面に基づいて説明する。〔第１の実施の形態〕
本第１の実施の形態は、例えば、携帯電話機、簡易型携帯電話機（ＰＨＳ）、ポケベル、通信機能を有する電子手帳、各種ゲーム機、パソコン等の適宜の電子機器装置に適用される。
【００１８】
電子機器装置１は、仮想生命体又は生物のキャラクターの動作に係る複数の画像と、他の仮想生命体又は生物のキャラクターの画像を記憶する画像記憶部を有する。この画像記憶部としてはＲＯＭ３が用いられる。ＲＯＭ３は電子機器装置１内に固定的に設けられる。もちろん、ＲＯＭ３をＲＯＭカートリッジ内に設け、当該ＲＯＭカートリッジを電子機器装置１へ着脱自在に設けても良い。また、ＲＯＭ３の代わりに適宜の記録媒体を用いて構成しても良い。
【００１９】
すなわち、電子機器装置１が小型である場合、例えば、携帯できるようにコンパクトに形成される場合は、前述の記憶部としてはＲＯＭ、ＥＥＰＲＯＭ、ＳＲＡＭ等が固定的に、若しくは着脱自在に設けられる。
【００２０】
また、電子機器装置１が比較的に大型である場合、例えば、パーソナルコンピュータシステムに組み込まれる場合には、前記記憶部として、例えば、ＣＤ−ＲＯＭ、ＣＤ−Ｒ、磁気ディスク、光磁気ディスク、ＤＶＤ等の適宜の記録媒体が用いられる。
【００２１】
電子機器装置１は、前記仮想生命体又は生物のキャラクターを表示する表示部９を有する。この表示部９は液晶表示器等の適宜の表示器が用いられる。そして、前記ＲＯＭ３から仮想生命体又は生物のキャラクターの画像を読み取って前記表示部９に表示させるための制御を行う制御装置２を有する。
【００２２】
また、前記仮想生命体又は生物のキャラクターを外出させるための操作部７を有し、操作部７が操作されたときに仮想生命体又は生物のキャラクターの外出情報を他の電子機器装置へ送信する送信手段を有する。このとき、制御装置２は外出情報を送信するときに仮想生命体又は生物のキャラクターが外出することを示す画像を表示部９に表示させるように制御する。
【００２３】
他の電子機器装置から外出情報が送信された場合は、その外出情報を受信する受信手段を有する。このとき、制御装置２は他の電子機器装置から外出情報を受信したときに他の仮想生命体又は生物のキャラクターが来たことを示す画像を表示部９に表示させる。上記送信手段及び受信手段は、送受信回路１１に設けられる。
【００２４】
本第１の実施の形態では、仮想生命体又は生物のキャラクターが一時的にお出かけをする場合のみならず、出かけたまま長期間戻ってこない、いわゆる家出をする場合も含まれる。すなわち、遊戯者の仮想生命体又は生物のキャラクターに対する世話の程度が低い場合、又はわがままな性格の仮想生命体に成長した場合は、出かけたまま長期間戻ってこない、いわゆる家出をする場合がある。
【００２５】
また、上記キャラクターが外出することを示す画像には、外出する様子を動的な画像で示す示す動画像及び静的な画像で示す静止画像を含む。同様に、キャラクターが来たことを示す画像には、キャラクターが来た様子を動的な画像で示す動画像及び静的な画像で示す静止画像を含む。
【００２６】
〔第２の実施の形態〕
本第２の実施の形態は、例えば、携帯電話機、簡易型携帯電話機（ＰＨＳ）、ポケベル、通信機能を有する電子手帳、各種ゲーム機、パソコン等の適宜の電子機器装置に適用される。
電子機器装置１は、仮想生命体又は生物のキャラクターの動作に係る複数の画像と、他の仮想生命体又は生物のキャラクターの画像を記憶する画像記憶部を有する。この画像記憶部としてはＲＯＭ３が用いられる。ＲＯＭ３は電子機器装置１内に固定的に設けられる。もちろん、ＲＯＭ３をＲＯＭカートリッジ内に設け、当該ＲＯＭカートリッジを電子機器装置１へ着脱自在に設けても良い。また、ＲＯＭ３の代わりに適宜の記録媒体を用いて構成しても良い。
【００２７】
すなわち、電子機器装置１が小型である場合、例えば、携帯できるようにコンパクトに形成される場合は、前述の記憶部としてはＲＯＭ、ＥＥＰＲＯＭ、ＳＲＡＭ等が固定的に、若しくは着脱自在に設けられる。
【００２８】
また、電子機器装置１が大型である場合、例えば、パーソナルコンピュータシステムに組み込まれる場合には、前記記憶部として、例えば、ＣＤ−ＲＯＭ、ＣＤ−Ｒ、磁気ディスク、光磁気ディスク、ＤＶＤ等の適宜の記録媒体が用いられる。
【００２９】
電子機器装置１は、前記仮想生命体又は生物のキャラクターを表示する表示部９を有する。この表示部９は液晶表示器等の適宜の表示器が用いられる。そして、前記ＲＯＭ３から仮想生命体又は生物のキャラクターの画像を読み取って前記表示部９に表示させるための制御を行う制御装置２を有する。
【００３０】
また、前記仮想生命体又は生物のキャラクターを外出させるための操作部７を有し、操作部７が操作されたときに仮想生命体又は生物のキャラクターの外出情報を他の電子機器装置へ送信する送信手段を有する。このとき、制御装置２は外出情報を送信するときに仮想生命体又は生物のキャラクターが外出することを示すマーカーを表示部９に表示させるように制御する。
【００３１】
他の電子機器装置から外出情報が送信された場合は、その外出情報を受信する受信手段を有する。このとき、制御装置２は他の電子機器装置から外出情報を受信したときに他の仮想生命体又は生物のキャラクターが来たことを示すマーカーを表示部９に表示させる。上記送信手段及び受信手段は、送受信回路１１に設けられる。
【００３２】
尚、本第２の実施の形態では、仮想生命体又は生物のキャラクターが一時的にお出かけをする場合のみならず、出かけたまま長期間戻ってこない、いわゆる家出をする場合も含まれる。すなわち、遊戯者の仮想生命体又は生物のキャラクターに対する世話の程度が低いために、わがままな性格の仮想生命体に成長した場合は、出かけたまま長期間戻ってこない、いわゆる家出をする場合がある。
【００３３】
〔第３の実施の形態〕
本第２の実施の形態は、例えば、携帯電話機、簡易型携帯電話機（ＰＨＳ）、ポケベル、通信機能を有する電子手帳、各種ゲーム機、パソコン等の適宜の電子機器装置に適用される。
電子機器装置１は、仮想生命体又は生物のキャラクターの動作に係る複数の画像と、他の仮想生命体又は生物のキャラクターの画像を記憶する画像記憶部を有する。この記憶部としてはＲＯＭ３が用いられる。ＲＯＭ３は電子機器装置１内に固定的に設けられる。もちろん、ＲＯＭ３をＲＯＭカートリッジ内に設け、当該ＲＯＭカートリッジを電子機器装置１へ着脱自在に設けても良い。また、ＲＯＭ３の代わりに適宜の記録媒体を用いて構成しても良い。
【００３４】
すなわち、電子機器装置１が小型である場合、例えば、携帯できるようにコンパクトに形成される場合は、前述の記憶部としてはＲＯＭ、ＥＥＰＲＯＭ、ＳＲＡＭ等が固定的に、若しくは着脱自在に設けられる。
【００３５】
また、電子機器装置１が大型である場合、例えば、パーソナルコンピュータシステムに組み込まれる場合には、前記記憶部として、例えば、ＣＤ−ＲＯＭ、ＣＤ−Ｒ、磁気ディスク、光磁気ディスク、ＤＶＤ等の適宜の記録媒体が用いられる。
【００３６】
前記仮想生命体又は生物のキャラクターを表示する表示部９を有する。この表示部９は液晶表示器等の適宜の表示器が用いられる。そして、前記ＲＯＭ３から仮想生命体又は生物のキャラクターの画像を読み取って前記表示部９に表示させるための制御を行う制御装置２を有する。
【００３７】
また、前記仮想生命体又は生物のキャラクターを外出させるための操作部７を有し、操作部７が操作されたときに仮想生命体又は生物のキャラクターの外出情報を他の電子機器装置へ送信する送信手段を有する。このように、外出情報を送信するときには制御装置２が、仮想生命体又は生物のキャラクターが外出することを示す画像を表示部９に表示させるように制御する。また、制御装置２は仮想生命体又は生物のキャラクターが外出してから所定時間経過後にその仮想生命体又は生物のキャラクターが戻ってきたことを示す画像を表示部９に表示させる。これにより、外出した仮想生命体又は生物のキャラクターが所定時間経過後に戻ったかのような動作を呈する。
【００３８】
他の電子機器装置から外出情報が送信された場合は、その外出情報を受信する受信手段を有する。この受信手段及び上記送信手段は、送受信回路１１に設けられる。受信手段が他の電子機器装置から外出情報を受信すると、制御装置が他の仮想生命体又は生物のキャラクターが来たことを示す画像を表示部に表示させる。また、制御装置２は外出情報を受信してから所定時間経過後に他の仮想生命体又は生物のキャラクターが帰ることを示す画像を表示部９に表示させる。これにより、遊びに来た仮想生命体又は生物のキャラクターが所定時間経過後に帰って行ったかのような動作を呈する。
【００３９】
また、制御装置２は、前記仮想生命体又は生物のキャラクターが外出してから戻って来るまでのあいだ、外出中であることを示す画像又はマーカーを表示部９に表示させるので、仮想生命体又は生物が外出中であることを容易に視認することができる。このように、仮想生命体又は生物のキャラクターが外出中である場合は、その仮想生命体又は生物のキャラクターに対する各種世話及び躾に係る処置を行うことができない。
【００４０】
尚、上記キャラクターが外出することを示す画像には、外出する様子を動的な画像で示す示す動画像及び静的な画像で示す静止画像を含む。同様に、キャラクターが来たことを示す画像には、キャラクターが来た様子を動的な画像で示す動画像及び静的な画像で示す静止画像を含む。
【００４１】
また、上記キャラクターが戻ってきたことを示す画像には、戻ってきた様子を動的な画像で示す動画像及び静的な画像で示す静止画像を含む。同様に、キャラクターが帰ることを示す画像には、帰る様子を動的な画像で示す動画像及び静的な画像で示す静止画像を含む。そして、上記外出中であることを示す画像には、外出中の様子を動的な画像で示す動画像及び静的な画像で示す静止画像を含む。
【００４２】
〔第４の実施の形態〕
本第４の実施の形態は、例えば、携帯電話機、簡易型携帯電話機（ＰＨＳ）、ポケベル、通信機能を有する電子手帳、各種ゲーム機、パソコン等の適宜の電子機器装置に適用される。
電子機器装置１は、仮想生命体又は生物のキャラクターの動作に係る複数の画像と、他の仮想生命体又は生物のキャラクターの画像を記憶する画像記憶部を有する。この記憶部としてはＲＯＭ３が用いられる。ＲＯＭ３は電子機器装置１内に固定的に設けられる。もちろん、ＲＯＭ３をＲＯＭカートリッジ内に設け、当該ＲＯＭカートリッジを電子機器装置１へ着脱自在に設けても良い。また、ＲＯＭ３の代わりに適宜の記録媒体を用いて構成しても良い。
【００４３】
すなわち、電子機器装置１が小型である場合、例えば、携帯できるようにコンパクトに形成される場合は、前述の記憶部としてはＲＯＭ、ＥＥＰＲＯＭ、ＳＲＡＭ等が固定的に、若しくは着脱自在に設けられる。
【００４４】
また、電子機器装置１が大型である場合、例えば、パーソナルコンピュータシステムに組み込まれる場合には、前記記憶部として、例えば、ＣＤ−ＲＯＭ、ＣＤ−Ｒ、磁気ディスク、光磁気ディスク、ＤＶＤ等の適宜の記録媒体が用いられる。
【００４５】
前記仮想生命体又は生物のキャラクターを表示する表示部９を有する。この表示部９は液晶表示器等の適宜の表示器が用いられる。そして、前記ＲＯＭ３から仮想生命体又は生物のキャラクターの画像を読み取って前記表示部９に表示させるための制御を行う制御装置２を有する。
【００４６】
また、前記仮想生命体又は生物のキャラクターを外出させるための操作部７を有し、操作部７が操作されたときに仮想生命体又は生物のキャラクターの外出情報を他の電子機器装置へ送信する送信手段を有する。このように、外出情報を送信するときには制御装置２が、仮想生命体又は生物のキャラクターが外出することを示すマーカーを表示部９に表示させるように制御する。また、制御装置２は仮想生命体又は生物のキャラクターが外出してから所定時間経過後にその仮想生命体又は生物のキャラクターが戻ってきたことを示すマーカーを表示部９に表示させる。これにより、外出した仮想生命体又は生物のキャラクターが所定時間経過後に戻ったかのような動作を呈する。
【００４７】
他の電子機器装置から外出情報が送信された場合は、その外出情報を受信する受信手段を有する。この受信手段及び上記送信手段は、送受信回路１１に設けられる。受信手段が他の電子機器装置から外出情報を受信すると、制御装置が他の仮想生命体又は生物のキャラクターが来たことを示すマーカーを表示部に表示させる。また、制御装置２は外出情報を受信してから所定時間経過後に他の仮想生命体又は生物のキャラクターが帰ることを示すマーカーを表示部９に表示させる。これにより、遊びに来た仮想生命体又は生物のキャラクターが所定時間経過後に帰って行ったかのような動作を呈する。
【００４８】
また、制御装置２は、前記仮想生命体又は生物のキャラクターが外出してから戻って来るまでのあいだ、外出中であることを示す画像又はマーカーを表示部に表示させるので、仮想生命体又は生物が外出中であることを容易に視認することができる。上記外出中であることを示す画像には、外出中の様子を動的な画像で示す動画像及び静的な画像で示す静止画像を含む。
【００４９】
〔第５の実施の形態〕
本第５の実施の形態は、例えば、携帯電話機、簡易型携帯電話機（ＰＨＳ）、ポケベル、通信機能を有する電子手帳、各種ゲーム機、パソコン等の適宜の電子機器装置に適用される。
電子機器装置１は、仮想生命体又は生物のキャラクターの動作に係る複数の画像と、他の仮想生命体又は生物のキャラクターの画像を記憶する画像記憶部を有する。この画像記憶部としてはＲＯＭ３が用いられる。ＲＯＭ３は電子機器装置１内に固定的に設けられる。もちろん、ＲＯＭ３をＲＯＭカートリッジ内に設け、当該ＲＯＭカートリッジを電子機器装置１へ着脱自在に設けても良い。また、ＲＯＭ３の代わりに適宜の記録媒体を用いて構成することができる。
【００５０】
すなわち、電子機器装置１が小型である場合、例えば、携帯できるようにコンパクトに形成される場合は、前述の記憶部としてはＲＯＭ、ＥＥＰＲＯＭ、ＳＲＡＭ等が固定的に、若しくは着脱自在に設けられる。
【００５１】
また、電子機器装置１が例えば、パーソナルコンピュータシステムに組み込まれる場合には、前記記憶部として、例えば、ＣＤ−ＲＯＭ、ＣＤ−Ｒ、光ディスク、光磁気ディスク、ＤＶＤ等の適宜の記録媒体が用いられる。
【００５２】
前記仮想生命体又は生物のキャラクターを表示する表示部９を有する。この表示部９は液晶表示器等の適宜の表示器が用いられる。そして、前記ＲＯＭ３から仮想生命体又は生物のキャラクターの画像を読み取って前記表示部９に表示させるための制御を行う制御装置２を有する。
【００５３】
また、前記仮想生命体又は生物のキャラクターを外出させるための操作部７を有し、操作部７が操作されたときに仮想生命体又は生物のキャラクターの外出情報を他の電子機器装置へ送信する送信手段を有する。このとき、制御装置２は外出情報を送信するときに仮想生命体又は生物のキャラクターが外出することを示す画像又はマーカーを表示部９に表示させるように制御する。
【００５４】
他の電子機器装置から外出情報が送信された場合は、その外出情報を受信する受信手段を有する。このとき、制御装置２は他の電子機器装置から外出情報を受信したときに他の仮想生命体又は生物のキャラクターが来たことを示す画像又はマーカーを表示部９に表示させる。
【００５５】
以上のごとく、本実施の形態では、仮想生命体又は生物のキャラクターが一時的にお出かけをする場合のみならず、出かけたまま長期間戻ってこない、いわゆる家出をする場合も含まれる。
【００５６】
また、時刻情報を出力する時刻情報出力手段を有し、この時刻情報に基づいて前記仮想生命体又は生物の生活時間を設定する生活時間設定手段を有するので、実際の生活時間に応じて仮想生命体又は生物を活動させることができる。
【００５７】
〔第６の実施の形態〕
本第６の実施の形態は、例えば、携帯電話機、簡易型携帯電話機（ＰＨＳ）、ポケベル、通信機能を有する電子手帳、各種ゲーム機、パソコン等の適宜の電子機器装置に適用される。
電子機器装置１は、仮想生命体又は生物のキャラクターの動作に係る複数の画像と、他の仮想生命体又は生物のキャラクターの画像を記憶する画像記憶部を有する。この記憶部としてはＲＯＭ３が用いられる。ＲＯＭ３は電子機器装置１内に固定的に設けられる。もちろん、ＲＯＭ３をＲＯＭカートリッジ内に設け、当該ＲＯＭカートリッジを電子機器装置１へ着脱自在に設けても良い。また、ＲＯＭ３の代わりに適宜の記録媒体を用いて構成しても良い。
【００５８】
すなわち、電子機器装置１が小型である場合、例えば、携帯できるようにコンパクトに形成される場合は、前述の記憶部としてはＲＯＭ、ＥＥＰＲＯＭ、ＳＲＡＭ等が固定的に、若しくは着脱自在に設けられる。
【００５９】
また、電子機器装置１が例えば、パーソナルコンピュータシステムに組み込まれる場合には、前記記憶部として、例えば、ＣＤ−ＲＯＭ、ＣＤ−Ｒ、光ディスク、光磁気ディスク、ＤＶＤ等の適宜の記録媒体が用いられる。
【００６０】
前記仮想生命体又は生物のキャラクターを表示する表示部９を有する。この表示部９は液晶表示器等の適宜の表示器が用いられる。そして、前記ＲＯＭ３から仮想生命体又は生物のキャラクターの画像を読み取って前記表示部９に表示させるための制御を行う制御装置２を有する。
【００６１】
また、前記仮想生命体又は生物のキャラクターを外出させるための操作部７を有し、操作部７が操作されたときに仮想生命体又は生物のキャラクターの外出情報を他の電子機器装置へ送信する送信手段を有する。このとき、制御装置２は外出情報を送信するときに仮想生命体又は生物のキャラクターが外出することを示す画像又はマーカーを表示部９に表示させるように制御する。また、制御装置２は仮想生命体又は生物のキャラクターが外出してから所定時間経過後にその仮想生命体又は生物のキャラクターが戻ってきたことを示す画像又はマーカーを表示部９に表示させる。これにより、外出した仮想生命体又は生物のキャラクターが所定時間経過後に戻ったかのような動作を呈する。
【００６２】
他の電子機器装置から外出情報が送信された場合は、その外出情報を受信する受信手段を有する。このとき、制御装置２は他の電子機器装置から外出情報を受信したときに他の仮想生命体又は生物のキャラクターが来たことを示す画像又はマーカーを表示部に表示させる。また、制御装置２は外出情報を受信してから所定時間経過後に他の仮想生命体又は生物のキャラクターが帰ることを示す画像又はマーカーを表示部９に表示させる。これにより、来客した仮想生命体又は生物のキャラクターが所定時間経過後に帰ったかのような動作を呈する。
【００６３】
尚、上記キャラクターが外出することを示す画像には、外出する様子を動的な画像で示す示す動画像及び静的な画像で示す静止画像を含む。同様に、キャラクターが来たことを示す画像には、キャラクターが来た様子を動的な画像で示す動画像及び静的な画像で示す静止画像を含む。
【００６４】
また、上記キャラクターが戻ってきたことを示す画像には、戻ってきた様子を動的な画像で示す動画像及び静的な画像で示す静止画像を含む。同様に、キャラクターが帰ることを示す画像には、帰る様子を動的な画像で示す動画像及び静的な画像で示す静止画像を含む。
【００６５】
また、時刻情報を出力する時刻情報出力手段を有し、この時刻情報に基づいて前記仮想生命体又は生物の生活時間を設定する生活時間設定手段を有するので、実際の生活時間に応じて仮想生命体又は生物を活動させることができる。
【００６６】
〔第７の実施の形態〕
また、本第７の実施の形態は、第１の実施の形態乃至第６の実施の形態の電子機器装置１に対し下記の要件を付加したものである。
電子機器装置１は、前述の仮想生命体又は生物の育成に係る処置を入力する入力手段である操作部７を有する。また、電子機器装置１は、仮想生命体又は生物の育成に係る制御データを記憶した記憶部（ＲＯＭ３）と、操作部７から育成に係る処置を入力したときに、これと対応する制御データをＲＯＭ３から読み取り、当該読み取った制御データに基づいて仮想生命体又は生物の育成に係る制御処理を行う制御装置２と、育成した仮想生命体又は生物を表示する表示部９を有する。
【００６７】
前記制御装置２は、仮想生命体又は生物が成長するに応じて１又は２以上の成長段階を設定する設定手段を有する。
【００６８】
図８に示すように、第１世代のキャラクター画像ＫＴ１の仮想生命体が成長して第１の成長段階に到達すると、第２世代のキャラクター画像ＫＴ２の仮想生命体に変化する。更に仮想生命体が成長して第２の成長段階に到達すると、第２世代のキャラクター画像ＫＴ２の仮想生命体第３世代のキャラクター画像ＫＴ３，ＫＴ４，ＫＴ５，ＫＴ６のいずれかの仮想生命体に変化する。更に仮想生命体が成長して第３の成長段階に到達すると、第３世代のキャラクター画像から第４世代のキャラクター画像ＫＴ７〜ＫＴ１２のいずれかの仮想生命体に変化する。
【００６９】
第３世代のキャラクター画像から第４世代のキャラクター画像ＫＴ７〜ＫＴ１２のいずれかの仮想生命体に変化したあとでは、ある条件及び確率に合致した場合だけ第４の成長段階へ移行して第５世代のキャラクター画像ＫＴ１３の仮想生命体に変化する。このキャラクター画像ＫＴ１３は、いわゆる隠れキャラクターであり、必ず表示されるとは限らない。
【００７０】
また、第３世代のキャラクター画像から第４世代のキャラクター画像ＫＴ７〜ＫＴ１２のいずれかの仮想生命体に変化したあとでは、前記隠れキャラクターとは異なる特別の条件で、基地局限定のキャラクター画像が表示される。すなわち、特定の基地局を経由して通話した通話時間が所定以上に達した場合、又は特定の基地局へ呼出情報を所定回数以上送信した場合、又は特定の基地局から呼出情報を所定回数以上受信した場合、又は前記呼出情報の送受信回数が所定以上に達した場合等であり、この場合は、その基地局固有の仮想生命体又は生物のキャラクター画像がＲＯＭ３から読み出されて表示される。
【００７１】
図８に示す例では第１の成長段階，第２の成長段階，第３の成長段階及び第４の成長段階の４種類の成長段階を設定している。
【００７２】
ここで、第１世代のキャラクター画像ＫＴ１の仮想生命体又は生物が誕生してから例えば６０分が経過したときに第１の成長段階に到達するように設定されている。また、あるキャラクター画像の仮想生命体又は生物は、第１の成長段階から例えば、２３時間が経過したときに第２の成長段階に到達するように設定されている。また、あるキャラクター画像の仮想生命体又は生物は、第２の成長段階から例えば、４日が経過したときに第３の成長段階に到達するように設定される。このように成長段階に到達するまでに要する期間は、それぞれのキャラクター画像毎に異なる適宜の期間を設定することができる。
【００７３】
尚、図８に示す例では４種類の成長段階を設定したが、本発明はこれに限定されず、単一の成長段階若しくは５以上の任意の成長段階を設定してもよい。
【００７４】
また、図８に示したキャラクター画像は、一例であり、他の多様な仮想生命体のキャラクター画像や、犬、猫等の愛玩動物のキャラクター画像や、他の適宜の種類の動植物を模した生物のキャラクター画像が用いられる。
【００７５】
記憶部であるＲＯＭ３には、成長段階毎に少なくとも容姿の異なる複数種類の成長した仮想生命体又は生物が記憶されている。例えば、図８のごとく第２の成長段階では、第３世代の仮想生命体又は生物としてそれぞれ容姿の異なる４種類のキャラクター画像ＫＴ３，ＫＴ４，ＫＴ５，ＫＴ６の仮想生命体又は生物が記憶されている。また、第３の成長段階では、第４世代の仮想生命体又は生物としてそれぞれ容姿の異なる６種類のキャラクター画像ＫＴ７〜ＫＴ１２の仮想生命体又は生物が記憶されている。
【００７６】
前述の成長段階毎に少なくとも容姿の異なる複数種類の仮想生命体又は生物を記憶する記憶部としては、ＲＯＭには限定されず、ＲＡＭ、ＳＲＡＭ、ＥＥＰＲＯＭ、ＣＤ−ＲＯＭ、ＣＤ−Ｒ、磁気ディスク、光磁気ディスク、ＤＶＤ等の適宜の記録媒体が固定的に、若しくは着脱自在に設けられる。
【００７７】
尚、図８に示した例では第１の成長段階及び第４の成長段階では１種類のキャラクター画像が示されているが、それぞれ複数種類の成長した仮想生命体又は生物を記憶部（ＲＯＭ３）に記憶して構成しても良い。特に、第４の成長段階では、前述の隠れキャラクターＫＴ１３とは、別種類のキャラクター画像が記憶されている。すなわち、複数の基地局についてそれぞれの基地局毎に異なる複数種類の仮想生命体又は生物のキャラクター画像がＲＯＭ３に記憶されている。
【００７８】
この複数種類の仮想生命体又は生物のキャラクター画像は、前記ＲＯＭ３とは別体の記録媒体に記憶させて構成してもよい。
【００７９】
また、前記仮想生命体又は生物が成長する過程で当該仮想生命体又は生物から呼出を行う呼出手段を有する。この呼出手段としては、ＣＰＵ２１と、当該ＣＰＵ２１の指令によって動作するブザー（図示せず）や点灯する発光素子、ＬＥＤ若しくは適宜のマーク表示体が用いられる。
【００８０】
更に、前記仮想生命体又は生物からの呼出に対して処置を行う入力手段として操作部７を有する。この入力手段としては、適宜のキースイッチや無接触型の光スイッチ、磁気スイッチ等を用いることができる。
【００８１】
そして、前記仮想生命体又は生物がある成長段階に達したときに、それまでの成長過程における前記呼出に対する処置の内容を判定する判定手段と、この判定手段の判定結果を勘案して前記複数種類の仮想生命体又は生物の中から一の成長した仮想生命体又は生物を選択する選択手段を有する。この選択手段としては、例えば、仮想生命体又は生物からの呼出に対して食事の世話をした回数に応じて複数種類の仮想生命体又は生物の中から一の成長した仮想生命体又は生物が選択されるようになっている。この判定手段及び選択手段は制御装置２内に設けられる。そして、制御装置２は、前記成長段階に達した仮想生命体又は生物を前記選択された仮想生命体又は生物に変化させる変化手段を有する。
【００８２】
〔第８の実施の形態〕
また、本第８の実施の形態は、第１の実施の形態乃至第６の実施の形態の電子機器装置１に対し下記の要件を付加したものである。
前述の仮想生命体又は生物の育成に係る処置を入力する入力手段である操作部７を有する。また、電子機器装置１は、仮想生命体又は生物の育成に係る制御データを記憶した記憶部（ＲＯＭ３）と、操作部７から育成に係る処置を入力したときに、これと対応する制御データをＲＯＭ３から読み取り、当該読み取った制御データに基づいて仮想生命体又は生物の育成に係る制御処理を行う制御装置２と、育成した仮想生命体又は生物を表示する表示部９を有する。
【００８３】
前記制御装置２は、仮想生命体又は生物が成長するに応じて１又は２以上の成長段階を設定する設定手段を有する。
【００８４】
図８に示すように、第１世代のキャラクター画像ＫＴ１の仮想生命体又は生物が成長して第１の成長段階に到達すると、第２世代のキャラクター画像ＫＴ２の仮想生命体又は生物に変化する。更に仮想生命体又は生物が成長して第２の成長段階に到達すると、第２世代のキャラクター画像ＫＴ２の仮想生命体又は生物から第３世代のキャラクター画像ＫＴ３，ＫＴ４，ＫＴ５，ＫＴ６のいずれかの仮想生命体又は生物に変化する。更に仮想生命体又は生物が成長して第３の成長段階に到達すると、第３世代のキャラクター画像から第４世代のキャラクター画像ＫＴ７〜ＫＴ１２のいずれかの仮想生命体又は生物に変化する。
【００８５】
第３世代のキャラクター画像から第４世代のキャラクター画像ＫＴ７〜ＫＴ１２のいずれかの仮想生命体に変化したあとでは、ある条件及び確率に合致した場合だけ第４の成長段階へ移行して第５世代のキャラクター画像ＫＴ１３の仮想生命体に変化する。すなわち、キャラクター画像ＫＴ１３は、いわゆる隠れキャラクターであり、必ず表示されるとは限らない。
【００８６】
また、第３世代のキャラクター画像から第４世代のキャラクター画像ＫＴ７〜ＫＴ１２のいずれかの仮想生命体に変化したあとでは、前記隠れキャラクターとは異なる特別の条件で、基地局限定のキャラクターが表示される。すなわち、特定の基地局を経由して通話した通話時間が所定以上に達した場合、又は特定の基地局へ呼出情報を所定回数以上送信した場合、又は特定の基地局から呼出情報を所定回数以上受信した場合、又は前記呼出情報の送受信回数が所定以上に達した場合は、その基地局固有の仮想生命体又は生物のキャラクター画像がＲＯＭ３から読み出されて表示される。
【００８７】
図８に示す例では第１の成長段階，第２の成長段階，第３の成長段階及び第４の成長段階の４種類の成長段階を設定している。
【００８８】
ここで、第１世代のキャラクター画像ＫＴ１の仮想生命体又は生物が誕生してから例えば６０分が経過したときに第１の成長段階に到達するように設定されている。また、あるキャラクター画像の仮想生命体又は生物は、第１の成長段階から例えば、２３時間が経過したときに第２の成長段階に到達するように設定されている。また、あるキャラクター画像の仮想生命体又は生物は、第２の成長段階から例えば、４日が経過したときに第３の成長段階に到達するように設定される。このように成長段階に到達するまでに要する期間は、それぞれのキャラクター画像毎に異なる適宜の期間を設定することができる。
【００８９】
尚、図８に示す例では４種類の成長段階を設定したが、本発明はこれに限定されず、単一の成長段階若しくは５以上の任意の成長段階を設定してもよい。
【００９０】
また、図８に示したキャラクター画像は、一例であり、他の多様な仮想生命体のキャラクター画像や、犬、猫等の愛玩動物のキャラクター画像や、他の適宜の種類の動植物を模した生物のキャラクター画像が用いられる。
【００９１】
記憶部であるＲＯＭ３には、成長段階毎に容姿及び性格の異なる複数種類の成長した仮想生命体又は生物が記憶されている。例えば、図８のごとく第２の成長段階では、第３世代の仮想生命体又は生物としてそれぞれ容姿及び性格の異なる４種類のキャラクター画像ＫＴ３，ＫＴ４，ＫＴ５，ＫＴ６の仮想生命体又は生物が記憶されている。また、第３の成長段階では、第４世代の仮想生命体又は生物としてそれぞれ容姿及び性格の異なる６種類のキャラクター画像ＫＴ７〜ＫＴ１２の仮想生命体又は生物が記憶されている。例えば、キャラクター画像ＫＴ３の仮想生命体又は生物は、わがままな性格で病気になりにくいという性質を有する。キャラクター画像ＫＴ５の仮想生命体又は生物は、素直な性格で病気になりやすいという性質を有する。キャラクター画像ＫＴ６の仮想生命体又は生物は、大変わがままな性格で病気になりやすいという性質を有する。また、これ以外にもそれぞれのキャラクター画像毎に起床時間、就寝時間、１世代中の期間、呼出の頻度、病気に対する注射の回数、最低体重等が設定されている。
【００９２】
前述の成長段階毎に容姿及び性格の異なる複数種類の仮想生命体又は生物を記憶する記憶部としては、ＲＯＭには限定されず、ＲＡＭ、ＳＲＡＭ、ＥＥＰＲＯＭ、ＣＤ−ＲＯＭ、ＣＤ−Ｒ、磁気ディスク、光磁気ディスク、ＤＶＤ等の適宜の記録媒体が固定的に、若しくは着脱自在に設けられる。
【００９３】
尚、図８に示した例では第１の成長段階及び第４の成長段階では１種類のキャラクター画像が示されているが、それぞれ複数種類の成長した仮想生命体又は生物を記憶部（ＲＯＭ３）に記憶して構成しても良い。
【００９４】
また、前記仮想生命体又は生物が成長する過程で当該仮想生命体又は生物から呼出を行う呼出手段を有する。この呼出手段としては、ＣＰＵ２１と、当該ＣＰＵ２１の指令によって動作するブザー（図示せず）や点灯する発光素子、ＬＥＤ若しくは適宜のマーク表示体が用いられる。
【００９５】
そして、前記呼出の内容は、仮想生命体又は生物の成長に必要な内容と、緊急を要しないわがままな内容とが含まれる。
【００９６】
ここで、前記仮想生命体又は生物の成長に必要な内容とは、例えば、仮想生命体又は生物のおなかがすいた場合（おなかパラメータの値がＭＡＸの値を下回る場合）にご飯を要求するための呼出を行う場合である。また、仮想生命体又は生物のごきげんが良くない場合（ごきげんパラメータの値がＭＡＸの値を下回る場合）に、ごきげんを上昇させるゲームを要求するために呼出を行う場合である。また、仮想生命体又は生物が睡眠をとるために照明の消灯を要求するために呼出を行う場合である。
【００９７】
そして、仮想生命体又は生物からの呼出が緊急を要しないわがままな内容とは、おなかパラメータの値及びごきげんパラメータの値が共にＭＡＸの値であるにもかかわらず呼出を行う場合である。また、おなかパラメータの値がＭＡＸの値を下回るにもかかわらず、呼出をしておいて食事をしない場合である。また、ごきげんパラメータの値がＭＡＸの値を下回るにもかかわらず、呼出をしておいてゲームをしない場合である。
【００９８】
また、仮想生命体又は生物からの呼出に対して処置を行う入力手段を有する。そして、この入力手段は、仮想生命体又は生物の成長に必要な内容の呼出に対して世話を行う手段と、緊急を要しないわがままな内容の呼出に対して躾を行う手段とを有する。
【００９９】
例えば、仮想生命体又は生物の成長に必要な内容の呼出に対して、遊戯者は操作部７のキースイッチを操作して食事を準備し、ゲームをし、又は照明を消灯することができる。また、仮想生命体又は生物からのわがままな内容の呼出に対して、遊戯者は操作部７のキースイッチを操作して躾を行うことができる。
【０１００】
そして、制御装置２は、前記仮想生命体又は生物がある成長段階に達したときには、それまでの成長過程における前記呼出に対する処置の内容、すなわち、前記世話及び躾の内容を判定する判定手段を有する。また、制御装置２は、当該判定手段の判定結果を勘案して前記複数種類の仮想生命体又は生物の中から一の成長した仮想生命体又は生物を選択する選択手段と、成長段階に達した仮想生命体又は生物を前記選択された仮想生命体又は生物に変化させる変化手段を有する。
【０１０１】
従って、遊戯者がこまめに世話をし、適切に躾をした場合は、複数種類の仮想生命体又は生物の中から性格の良い仮想生命体又は生物が選択されるので、その後はあまり手が掛からないようになっている。
【０１０２】
逆に、遊戯者がこまめに世話をせずに、且つ、躾もしなかった場合は、複数種類の仮想生命体又は生物の中から性格の良くない仮想生命体又は生物が選択されることになるので、その後は仮想生命体又は生物からの呼出の回数が多くなり、遊戯者の負担が重くなるようになっている。
【０１０３】
【実施例】
次に、本願発明に係る電子機器装置１の一実施例を図面に基づいて説明する。
【０１０４】
図１に示す実施例は、簡易型の携帯電話機（ＰＨＳ）に適用した場合を示したものである。本願発明に係る電子機器装置１は、電話機や他の電子機器装置とのあいだで文字通信（いわゆるＰメール）やデータ通信又は通話を行うための送受信回路１１を有する。送受信回路１１にはアンテナ１３が接続されている。電子機器装置１は、当該アンテナ１３を介して複数の基地局のうち、管轄する基地局（図示せず）からの１．９ＧＨＺ帯の電波を受信すると共に、その基地局へ電波を発射する。
【０１０５】
また、送受信回路１１にはマイクロホン１５及びスピーカ１７が接続されている。マイクロホン１５は音声情報を入力するものであり、スピーカ１７は音声情報を出力するものである。
【０１０６】
前記送受信回路１１は、送信回路、受信回路、高周波増幅回路、中間周波増幅回路、変調回路、復調回路、チャネルコーデック（ＴＤＭＡ）、ＡＤＰＣＭ、Ａ／Ｄ変換回路、Ｄ／Ａ変換回路等の種々の回路部を有する。そして、送受信回路１１は、後で説明する操作部が操作されたときに仮想生命体の外出情報を他の電子機器装置へ送信する送信手段と、他の電子機器装置から送信された外出情報を受信する受信手段とを有する。
【０１０７】
前記送受信回路１１には制御装置２が接続されている。制御装置２はＲＯＭ３、ＲＡＭ５、操作部７、表示部９のそれぞれと接続されている。
【０１０８】
ＲＯＭ３は、仮想生命体の動作に係る複数の画像、例えば、自装置の仮想生命体が外出する場合の動作に係る画像や外出した仮想生命体が戻る場合の動作に係る画像を記憶している。そして、ＲＯＭ３は、他の仮想生命体の画像、例えば他の仮想生命体が来客した様子を示す画像、２つの仮想生命体同士で遊ぶ様子を示す画像や、来客した仮想生命体が帰る様子を示す画像等を記憶している。また、ＲＯＭ３には仮想生命体の育成シミュレーションに係る種々のプログラムが記憶されている。更に、ＲＯＭ３には、前記育成シミュレーションによって成長するそれぞれの成長段階毎に容姿及び性格の異なる複数種類の仮想生命体画像が記憶されている。ＲＡＭ５は、ＣＰＵ２１のワーク用のメモリである。
【０１０９】
また、操作部７はテンキーやファンクションキー等の種々のキースイッチを有し、通話に係る操作及び仮想生命体の育成に係る処置を入力することができる。そして、操作部７は、仮想生命体を外出させるための操作を行うことができる。
【０１１０】
表示部９は、液晶表示器（ＬＣＤ）により構成され、通話モードにおいて前記テンキーから入力された電話番号や日付及び現在時刻等を表示する。また、表示部９は、前記文字通信モード又はデータ通信モードでは、文字情報又はデータ情報を表示する。また、表示部９は、育成シミュレーションモードにおいて仮想生命体のキャラクター画像及び各種マークを表示するものである。
【０１１１】
次に、図２を参照して表示部９の育成シミュレーションモードにおける表示例を説明する。表示部９は仮想生命体のキャラクター画像を表示するための画像表示部１２と、画像表示部１２の上部に設けられるマーク表示部１４と、画像表示部１２の下部に設けられるマーク表示部１６とで構成されている。
【０１１２】
マーク表示部１４には、食事マーク１４ａと、照明マーク１４ｂと、ゲームマーク１４ｃと、注射マーク１４ｄとの複数のマークが表示されている。食事マーク１４ａが選択表示されると、仮想生命体にご飯又はお菓子を与えることができる。これにより、仮想生命体はご飯を１膳食べる毎におなかパラメータが＋１増加する。また、仮想生命体はお菓子を１個食べる毎にごきげんパラメータが＋１増加する。照明マーク１４ｂが選択表示されると、仮想生命体が睡眠する場合にその部屋の照明を消灯することができる。ゲームマーク１４ｃが選択表示されると、仮想生命体とゲームを行うことができる。このゲームの結果、例えば、５回戦の内、３回以上仮想生命体が勝利すると、ごきげんパラメータが＋１増加する。注射マーク１４ｄが選択表示されると、仮想生命体が病気した場合に注射をすることができる。これにより、仮想生命体を治療することができる。
【０１１３】
また、マーク表示部１６には、トイレマーク１６ａと、チェックメータマーク１６ｂと、躾マーク１６ｃと、呼出マーク１６ｄとの複数のマークが表示されている。トイレマーク１６ａが選択表示されると、仮想生命体が大便をした場合にこれを水で流して清掃することができる。チェックメータマーク１６ｂが選択表示されると、仮想生命体の年令、体重、ごきげんパラメーター、おなかパラメーター及び躾度のそれぞれの値をメータ表示で確認することができる。躾マーク１６ｃが選択表示されると、仮想生命体の緊急を要しないわがままな呼出に対して躾を行うことができる。呼出マーク１６ｄは、仮想生命体からの呼出を表示するマークである。この呼出マーク１６ｄは、仮想生命体が成長する過程で当該仮想生命体が呼出を行うための呼出手段の一部を形成する。
【０１１４】
前述の操作部７に設けられるキースイッチとしては、マーク表示用キースイッチ、決定用キースイッチ、キャンセル用キースイッチ、時刻調整用キースイッチ等を有する。
【０１１５】
マーク表示用キースイッチは、前記マーク表示部１４，１６の中から所望のマークを表示させるためのキースイッチであり、このマーク表示用キースイッチを押下する毎に食事マーク１４ａ、照明マーク１４ｂ、ゲームマーク１４ｃ、注射マーク１４ｄ、トイレマーク１６ａ、チェックメータマーク１６ｂ、躾マーク１６ｃの順番で切り替え表示される。
【０１１６】
決定用キースイッチは、前記切り替え表示されたマークを決定するためのスイッチである。
【０１１７】
キャンセル用キースイッチは、前記表示されたマークをキャンセルするためのスイッチである。
【０１１８】
また、時刻調整用キースイッチは、制御装置２に設けられた時刻情報出力手段の時刻調整用に用いられる。
【０１１９】
尚、上記では単一のマーク表示用キースイッチを押下する毎に食事マーク１４ａ、照明マーク１４ｂ、ゲームマーク１４ｃ、注射マーク１４ｄ、トイレマーク１６ａ、チェックメータマーク１６ｂ、躾マーク１６ｃの順番で切り替え表示させるように構成したが、食事マーク１４ａ、照明マーク１４ｂ、ゲームマーク１４ｃ、注射マーク１４ｄ、トイレマーク１６ａ、チェックメータマーク１６ｂ、躾マーク１６ｃのそれぞれのマークについて、専用のキースイッチ、例えばテンキー等を振り分けても良い。
【０１２０】
再び図１を参照するに、制御装置２は、ＣＰＵ２１、インタフェース回路２３、表示駆動回路２５、通信制御回路２７を有する。
【０１２１】
制御装置２は、記憶部であるＲＯＭ３から仮想生命体の画像を読み取って前記表示部９に表示させるための制御を行うものであり、前記外出情報を送信するときに仮想生命体が外出することを示す画像又はマーカーを表示部９に表示させる。また、制御装置２は、仮想生命体が外出してから所定時間経過後にその仮想生命体が戻ってきたことを示す画像又はマーカーを表示部９に表示させる。また、制御装置２は、他の電子機器装置から外出情報を受信したときには、他の仮想生命体が来たことを示す画像又はマーカーを表示部９に表示させると共に、外出情報を受信してから所定時間経過後に他の仮想生命体が帰ることを示す画像又はマーカーを表示部９に表示させる。そして、制御装置２は、仮想生命体が外出してから戻って来るまでのあいだ、外出中であることを示す画像又はマーカーを表示部９に表示させるので、仮想生命体が外出中であることを容易に視認することができる。
【０１２２】
次に、作用を説明する。
【０１２３】
まず、図３乃至図８を参照して仮想生命体の育成シミュレーションに係る作用を説明する。
【０１２４】
図３は、育成シミュレーションのメインのフロー制御を示したフローチャートである。ステップＳＰ１では操作部７のリセットスイッチが操作されたかどうかを判断しており、リセットスイッチが操作された場合は、ステップＳＰ３へ進み操作部７のキースイッチを操作して時刻合わせを行う。以後、この時刻に基づいて仮想生命体の生活時間が決定される。従って、現実の時間帯に沿って仮想生命体が活動することになる。例えば、午前９時に起床して活動を開始し、午後８時には就寝するという生活時間が設定される。続いてステップＳＰ５では初期画面を表示する。ここでは、例えば卵の形状の画像が表示され、所定時間経過後に卵が割れて新生児である第１世代のキャラクター画像ＫＴ１の仮想生命体が誕生し、その画像が表示部９に表示される。
【０１２５】
次に、ステップＳＰ７では第１の成長過程に係る処理が実行される。例えば、遊戯者は操作部７のキースイッチを操作してごはんやおかしを食べさせて世話を行う。また、仮想生命体からの呼出に対してトイレ掃除や病気の治療を行うことができる。
【０１２６】
次に、ステップＳＰ９では、第１世代のキャラクター画像ＫＴ１の仮想生命体が誕生して約６０分が経過すると、第２世代のキャラクター画像ＫＴ２の仮想生命体に変化して第２の成長過程に移行する。この第２の成長過程では、前述の第１の成長過程と同様に仮想生命体からの呼出があった場合に、その成長に必要な内容の呼出に対して世話を行う。また、遊戯者は仮想生命体からのわがままな内容の呼出に対して躾を行うことができる。
【０１２７】
続いてステップＳＰ１１では、仮想生命体が第２の成長段階に到達したかどうかを判断する。ステップＳＰ１１で第２の成長段階に到達していないことを判断した場合は再びステップＳＰ９へ戻り前述の第２の成長過程の処理を行う。また、ステップＳＰ１１で第２の成長段階に到達したことを判断した場合はステップＳＰ１３へ進む。
【０１２８】
ステップＳＰ１３では、前記第２の成長過程における世話及び躾の内容を勘案して複数種類の仮想生命体、すなわち、第３世代のキャラクター画像ＫＴ３，ＫＴ４，ＫＴ５，ＫＴ６の仮想生命体の中から一の成長した仮想生命体を選択する。
【０１２９】
例えば、第２の成長過程において、仮想生命体からの呼出があった場合にその成長に必要な内容の呼出に対しての世話を３回以上ミスし、且つ仮想生命体からのわがままな内容の呼出に対して躾を２回以上ミスした場合は、キャラクター画像ＫＴ６の仮想生命体が選択され、当該キャラクター画像ＫＴ６の仮想生命体が第３世代の仮想生命体に変化して以後成長していくことになる。
【０１３０】
次に、ステップＳＰ１５では第３の成長過程に移行し、前述の第２の成長過程と同様に仮想生命体からの呼出があった場合に、その成長に必要な内容の呼出に対して世話を行うと共に、仮想生命体からのわがままな内容の呼出に対して躾を行うことができる。
【０１３１】
続いてステップＳＰ１７では、仮想生命体が第３の成長段階に到達したかどうかを判断する。ステップＳＰ１７で第３の成長段階に到達していないことを判断した場合は再びステップＳＰ１５へ戻り前述の第３の成長過程の処理を行う。また、ステップＳＰ１７で第３の成長段階に到達したことを判断した場合はステップＳＰ１９へ進む。
【０１３２】
ステップＳＰ１９では、前記第３の成長過程における世話及び躾の内容を勘案して複数種類の仮想生命体、すなわち、第４世代のキャラクター画像ＫＴ７〜ＫＴ１２の仮想生命体の中から一の成長した仮想生命体を選択する。
【０１３３】
例えば、第３の成長過程において、仮想生命体からの呼出があった場合にその成長に必要な内容の呼出に対しての世話を３回以上ミスし、且つ仮想生命体からのわがままな内容の呼出に対して躾を６回以上ミスした場合は、キャラクター画像ＫＴ１２の仮想生命体が選択され、当該キャラクター画像ＫＴ１２の仮想生命体が第４世代の仮想生命体に変化して以後成長していくことになる。
【０１３４】
続いて、ステップＳＰ１９からステップＳＰ２０へ進む。ステップＳＰ２０では隠れキャラクターの表示処理を行う。
【０１３５】
第３世代のキャラクター画像から第４世代のキャラクター画像ＫＴ７〜ＫＴ１２のいずれかの仮想生命体に変化したあとでは、ある条件及び確率に合致した場合だけ第４の成長段階へ移行して第５世代のキャラクター画像ＫＴ１３の仮想生命体に変化する。すなわち、キャラクター画像ＫＴ１３は、いわゆる隠れキャラクターであり、必ず表示されるとは限らない。
【０１３６】
また、第３世代のキャラクター画像から第４世代のキャラクター画像ＫＴ７〜ＫＴ１２のいずれかの仮想生命体に変化したあとでは、前記隠れキャラクターとは異なる特別の条件で、基地局限定のキャラクターが表示される。
【０１３７】
すなわち、特定の基地局を経由して通話した通話時間が所定以上に達した場合、又は特定の基地局へ呼出情報を所定回数以上送信した場合、又は特定の基地局から呼出情報を所定回数以上受信した場合、又は前記呼出情報の送受信回数が所定以上に達した場合は、その基地局固有の仮想生命体画像がＲＯＭ３から読み出されて表示される。
【０１３８】
また、ステップＳＰ１において操作部７のリセットスイッチが操作されていない場合は、ステップＳＰ２へ進み第１の成長過程であるかどうかを判断する。ステップＳＰ２で第１の成長過程であることを判断した場合はステップＳＰ７へ進み第１の成長過程の処理を行う。また、ステップＳＰ２で第１の成長過程でないことを判断した場合はステップＳＰ４へ進み第２の成長過程であるかどうかを判断する。ステップＳＰ４で第２の成長過程であることを判断した場合はステップＳＰ９へ進み第２の成長過程の処理を行う。また、ステップＳＰ４で第２の成長過程でないことを判断した場合はステップＳＰ１５へ進み第３の成長過程の処理を行う。
【０１３９】
次に、図４乃至図８を参照して第２の成長過程における作用を詳細に説明する。
【０１４０】
図４のステップＳＰ２１では仮想生命体からの呼出があったかどうかを判断しており、仮想生命体からの呼出があった場合は、ステップＳＰ２３、ＳＰ２５へ進み表示部９に呼出マーク１６ｄを点灯させると同時に、ブザーを所定時間Ｔ１、例えば３秒間だけ鳴動させる。また同時にステップＳＰ２７ではタイマーを起動させてステップＳＰ３１へ進む。
【０１４１】
ステップＳＰ３１では、仮想生命体からの呼出が睡眠のためであるかどうかを判断する。ステップＳＰ３１で睡眠のための呼出であることを判断した場合は、▲１▼を介して図５のステップＳＰ４１へ進む。ステップ４１では遊戯者が操作部７のキースイッチを操作して照明を消灯したかどうかを判断しており、照明が消灯された場合はステップＳＰ４３へ進み、所定時間内であるかどうかを判断する。仮想生命体からの呼出があってから所定時間Ｔ３、例えば１時間以内に消灯された場合は、適切に世話をしたことになり、ステップＳＰ４３からステップＳＰ４５へ進み世話度が１増加する。
【０１４２】
また、逆に仮想生命体からの呼出があってもこれに対する世話がなされない場合、若しくは仮想生命体からの呼出があってから所定時間Ｔ３、例えば１時間以上経過した後で消灯された場合は、適切な世話がされなかったことになり、ステップＳＰ４１又はＳＰ４３からステップＳＰ４７へ進み世話度が１減少する。
【０１４３】
再び図４を参照するに、ステップＳＰ３１において睡眠のための呼出でないことを判断した場合はステップＳＰ３３へ進む。ステップＳＰ３３では、仮想生命体のおなかパラメータの値はＭＡＸであるかどうかを判断しており、おなかパラメータの値がＭＡＸでない場合は▲２▼を介して図６のステップＳＰ５１へ進む。ステップＳＰ５１では、遊戯者が操作部７のキースイッチを操作して食事の準備をしたかどうかを判断しており、食事の準備がなされた場合はステップＳＰ５３へ進む。ステップＳＰ５３では仮想生命体が前述の準備されたご飯を食べたかどうかを判断しており、ご飯を食べた場合はステップＳＰ５５へ進む。ステップＳＰ５５では所定時間内であるかどうかを判断する。上記仮想生命体からの呼出があってから所定時間Ｔ２、例えば１５分以内に食事ができた場合は、適切に世話をしたことになり、ステップＳＰ５７へ進み世話度が１増加する。
【０１４４】
また、逆に仮想生命体からの呼出があってもこれに対する世話が全くなされない場合、又は、食事の世話をした場合であってもそれが仮想生命体からの呼出があってから所定時間Ｔ２、例えば１５分以上を経過した後で食事をすることになった場合は、適切な世話がされなかったことになり、ステップＳＰ５１又はＳＰ５５からステップＳＰ５９へ進み世話度が１減少する。
【０１４５】
また、ステップＳＰ５３において遊戯者がご飯の準備をしたにもかかわらず、これを仮想生命体が食べなかった場合は、ステップＳＰ５３から▲３▼を介して図４のステップＳＰ３７へ進む。
【０１４６】
ここで、遊戯者は、仮想生命体のおなかパラメータの値がＭＡＸでもないのに食事をしないのは、仮想生命体のわがままであると判断して躾に係る操作を行うことになる。すなわち、遊戯者は操作部７のキースイッチを操作して表示部９の躾マークを選択表示させることにより、仮想生命体に対する躾を行うことができる。ステップＳＰ３７では、上記の躾に係る操作がされたかどうかを判断しており、躾に係る操作がされた場合はステップＳＰ３９へ進み躾度が１増加する。
【０１４７】
前述したようにステップＳＰ３３では、仮想生命体のおなかパラメータの値はＭＡＸであるかどうかを判断しており、おなかパラメータの値がＭＡＸである場合はステップＳＰ３５へ進む。ステップＳＰ３５では、仮想生命体のごきげんパラメータの値はＭＡＸであるかどうかを判断しており、ごきげんパラメータの値がＭＡＸでない場合は▲４▼を介して図７のステップＳＰ６１へ進む。
【０１４８】
ステップＳＰ６１では、遊戯者が操作部７のキースイッチを操作してゲームの準備をしたかどうかを判断しており、ゲームの準備がされた場合はステップＳＰ６３へ進む。ステップＳＰ６３では仮想生命体が前述のゲームをしたかどうかを判断しており、ゲームをした場合はステップＳＰ６５へ進む。ステップＳＰ６５では所定時間内であるかどうかを判断する。上記仮想生命体からの呼出があってから所定時間Ｔ２、例えば１５分以内にゲームをした場合は、適切に世話をしたことになり、ステップＳＰ６７へ進み世話度が１増加する。
【０１４９】
また、ステップＳＰ６１において、ゲームの準備がされない場合はステップＳＰ６２へ進む。ステップＳＰ６２では、遊戯者が操作部７のキースイッチを操作しておかしの準備をしたかどうかを判断しており、おかしの準備をした場合はステップＳＰ６５へ進む。前述と同様に、ステップＳＰ６５では所定時間内であるかどうかを判断する。上記仮想生命体からの呼出があってから所定時間Ｔ２、例えば１５分以内におかしを準備した場合は、適切に世話をしたことになり、ステップＳＰ６７へ進み世話度が１増加する。
【０１５０】
また、逆に仮想生命体からの呼出があってもこれに対するゲームの準備及びおかしの準備が全くされない場合は、ステップＳＰ６１，ＳＰ６２からステップＳＰ６９へ進み世話度が１減少する。ゲーム又はおかしの世話をした場合であってもそれが仮想生命体からの呼出があってから所定時間Ｔ２、例えば１５分以上を経過した後である場合は、適切な世話がされなかったことになり、ステップＳＰ６５からステップＳＰ６９へ進み世話度が１減少する。
【０１５１】
また、ステップＳＰ６３において遊戯者がゲームの準備をしたにもかかわらず、仮想生命体がゲームをしなかった場合は、ステップＳＰ６３から▲５▼を介して図４のステップＳＰ３７へ進む。
【０１５２】
ここで、遊戯者は、仮想生命体のごきげんパラメータの値がＭＡＸでもないのにゲームをしないのは、仮想生命体のわがままであると判断して躾に係る操作を行うことになる。すなわち、遊戯者は操作部７のキースイッチを操作して表示部９の躾マークを選択表示させることにより、仮想生命体に対する躾を行うことができる。ステップＳＰ３７では、上記の躾に係る操作がされたかどうかを判断しており、躾に係る操作がされた場合はステップＳＰ３７からステップＳＰ３９へ進み躾度が１増加する。
【０１５３】
また、ステップＳＰ２１において仮想生命体からの呼出がない場合は、ステップＳＰ２９へ進み各種世話処理を行う。また、ステップＳＰ３７において躾に係る操作がない場合も▲６▼を介してステップＳＰ２９へ進み各種世話処理を行う。その後、ステップＳＰ２９から▲７▼を介して図３のステップＳＰ１１へ戻る。
【０１５４】
尚、上記時間Ｔ１，Ｔ２，Ｔ３は前述した値には限定されず、適宜の値に設定することができる。
また、第３の成長過程における作用は、前述した第２の成長過程と同様であり、詳細な説明を省略する。
次に、仮想生命体が外出する場合の動作を説明する。操作部７から外出の操作がされたかどうかを判断し、外出の操作があった場合は外出するための条件を満足しているか否かを判断する。すなわち、お出かけパラメータが１以上であるかどうかを判断し、お出かけパラメータが０である場合はお出かけすることができない。さらに、お出かけパラメータが１以上であっても、仮想生命体が病気の状態、ストレス病の場合、他の仮想生命体が遊びに来ている場合、おなかパラメータの値が「０」又は「１」である場合には、いずれもお出かけすることができない。また、第１世代の仮想生命体ＫＴ１及び第２世代の仮想生命体ＫＴ２は、共に未成熟状態であるので、お出かけすることができない。ここで、上記お出かけパラメータの値は、おなかパラメータ及びごきげんパラメータの値が共にＭＡＸである場合に上昇する。そして、仮想生命体は、予め設定された確率で病気またはストレス病にかかるものであるが、特に、仮想生命体が本来就寝している時間帯に電話がかかってきたときに、この電話によって仮想生命体を起こしてしまった場合は、ストレス病にかかる確率が５％上昇する。
【０１５５】
上述した外出するための条件を全て満足していることを判断した場合は、外出情報を送信することができる。この外出情報は、例えば、簡易型携帯電話機のいわゆるＰメール機能を用いて送信され、管轄する基地局を経由して友人等の電子機器装置へ送信される。このとき、仮想生命体がお出かけをする際に外出することを示す画像又はマーカーが、自装置の表示部９に表示される。この結果、自装置の表示部９から仮想生命体が居なくなって、あたかも外出したかのごとき様相を呈する。この仮想生命体の訪問を受けた相手先の電子機器装置の表示部９には、その仮想生命体が来たことを示す画像を表示する。そして、上記仮想生命体の訪問を受けた相手先の電子機器装置の表示部９には、２つの仮想生命体が表示され、一緒に食事をしたり又は仲良く遊ぶ様子の画面が表示される。続いて仮想生命体が外出してから所定時間、例えば、３０秒を経過したかどうかを判断しており、仮想生命体が外出してから所定時間を経過した場合は、その仮想生命体が戻ってきたことを示す画像又はマーカーを表示部９に表示させる。これにより、仮想生命体があたかもお出かけをして所定時間後に戻ってきたかのような動作を呈する。尚、上記の例では、外出するための条件を全て満足した場合に、お出かけをすることができるように構成したが、本発明はこれに限定されず、何時でも無条件で外出できるように構成しても良い。また、仮想生命体が外出してから元の電子機器装置に戻るまでの時間は、上記には限定されず、それぞれの仮想生命体毎に適宜の値に設定することができる。
【０１５６】
次に、他の電子機器から仮想生命体の外出情報を受信した場合の動作を説明する。外出情報を受信したか否かを判断し、他の電子機器装置からの外出情報を受信した場合は他の仮想生命体が来たことを示す画像を表示部９に表示させる。そして、表示部９には２つの仮想生命体が表示され、一緒に食事をしたり又は仲良く遊ぶ様子の画面が表示される。続いて、外出情報を受信してから所定時間、例えば１分を経過したかどうかを判断する。外出情報を受信してから所定時間経過したことを判断した場合は、他の仮想生命体が帰ることを示す画像を表示部９に表示させる。これにより、あたかも他の仮想生命体の訪問を受け、所定時間後に帰って行くかのような動作を呈する。
【０１５７】
尚、遊戯者の仮想生命体に対する世話の程度が低いために、わがままな性格の仮想生命体に成長した場合は、当該仮想生命体は外出したまま長期間のあいだ戻らない、いわゆる家出をする場合がある。また、仮想生命体が通常の病気にかかった場合は、遊戯者が操作部７を操作して注射等を施すことによりその病気を完治させることができるが、仮想生命体がストレス病にかかったときには遊戯者の操作部７からの操作によっては完治させることができない。このようなときには、他の仮想生命体が所定回数、例えば、２回以上訪問して看病した場合だけストレス病を完治させることができる。
【０１５８】
【発明の効果】
以上説明してきたように本発明は、画面内で生活する仮想生命体又は生物のキャラクターを自由に外出させるように構成したので、人間社会と近似した行動を行わせ、更に興趣性の高い電子機器装置を提供することができるという効果を有する。
【図面の簡単な説明】
【図１】本発明に係る電子機器装置の要部のブロック図である。
【図２】育成シミュレーションモードにおける表示部の表示例を示した説明図である。
【図３】仮想生命体の育成シミュレーションに係るメインの制御処理を示したフローチャートである。
【図４】図３のフローチャートの第２の成長過程の制御処理を示したフローチャートである。
【図５】図３のフローチャートの第２の成長過程の制御処理を示したフローチャートである。
【図６】図３のフローチャートの第２の成長過程の制御処理を示したフローチャートである。
【図７】図３のフローチャートの第２の成長過程の制御処理を示したフローチャートである。
【図８】育成シミュレーションにおけるキャラクターの成長に伴う分岐を示した説明図である。
【符号の説明】
１  電子機器装置、２  制御装置、３  ＲＯＭ、５  ＲＡＭ、７  操作部、９  表示部
１１  送受信回路、１３  アンテナ、１５  マイクロホン、１７  スピーカ
２１  ＣＰＵ、２５  表示駆動回路、２７  通信制御回路
【図１】
0003543970.tif 000002
【図２】
0003543970.tif 000003
【図３】
0003543970.tif 000004
【図４】
0003543970.tif 000005
【図５】
0003543970.tif 000006
【図６】
0003543970.tif 000007
【図７】
0003543970.tif 000008
【図８】
0003543970.tif 000009